(57)【要約】      （修正有）【課題】ベンチに座った人々が植木鉢に植えられた花や観葉植物を身近に感じるとともにロビーや待合室の雰囲気を改善してそこにいる人々の気持ちを和らげることができるベンチ構造を提供する。【解決手段】植木鉢を収容可能な複数の筒状台部１と、該複数の筒状台部１に両端部が載置するとともに該複数の筒状台部１と対応する両端部分に開口部３を形成したベンチ板２と、からなり、筒状台部１及びベンチ板２の素材を木材とする。【選択図】図１
0003214543.tif 000002
【実用新案登録請求の範囲】
【請求項１】
植木鉢を収容可能な複数の筒状台部と、該複数の筒状台部に両端部が載置し該複数の筒状台部に対応する両端部に開口部を形成したベンチ板と、からなることを特徴とするベンチ構造。
【請求項２】
前記ベンチ板の裏面の開口部の周縁に前記筒状台部の内周面に係合する凸部を設けたことを特徴とする請求項１に記載のベンチ構造。
【請求項３】
前記筒状台部及びベンチ板の素材が木材であることを特徴とする請求項１又は２に記載のベンチ構造。
【請求項４】
前記筒状台部が外周面の水平方向に凹凸リブを有することを特徴とする請求項１、２又は３の記載のベンチ構造。
【考案の詳細な説明】
【技術分野】
【０００１】
本考案は、建物のロビーや待合室などに好適で斬新なベンチ構造に関する。
【背景技術】
【０００２】
従来、建物のロビーや待合室などにベンチとともに花や観葉植物などの植木鉢が置かれている。該ロビーや待合室などに置かれた植木鉢の花や観葉植物はロビーや待合室の雰囲気を改善してそこにいる人々の気持ちを和らげる機能を有する。
【考案の概要】
【考案が解決しようとする課題】
【０００３】
前記の建物のロビーや待合室などに置かれた植木鉢はベンチから離れたロビーや待合室の隅部近くに置かれているのが一般的であり、ベンチに座った人と離れた位置にあった。本考案は、ベンチに座った人々が植木鉢に植えられた花や観葉植物を身近に感じるベンチ構造を提供することを目的とする。
【課題を解決するための手段】
【０００４】
前記課題を解決するため、本考案のベンチ構造は、植木鉢を収容する複数の筒状台部と、該複数の筒状台部に両端部が載置するとともに該複数の筒状台部と対応する両端部に開口部を形成したベンチ板と、からなることを特徴とする（請求項１）。
【０００５】
前記のベンチ構造によれば、ベンチ板の両端部が複数の筒状台部によって支持される。さらにベンチ板には前記複数の筒状台部に対応する部分に開口部が形成されている。したがって、花や観葉植物が植えられた植木鉢をベンチ板の開口部からそれぞれの筒状台部の内部に収容することができる。本考案では前記複数の筒状台部がベンチ板の支持部材として機能するとともに植木鉢のカバーとして機能するものである。
【０００６】
本発明の実施の一形態は、前記ベンチ板の裏面の開口部の周縁に前記筒状台部の内周面に係合する凸部を設けたことを特徴とする（請求項２）。この実施の一形態によれば、ベンチ板の裏面の開口部の周縁に設けた凸部を筒状台部の内周面に適合させることにより筒状台部とベンチ板が一体化され、筒状台部とベンチ板間の横ズレが防止される。同時に組み立て時の位置決めが容易である。その他、釘などの金具を使用して筒状台部とベンチ板を固定してもよい。
【０００７】
本発明の実施の一形態は、前記筒状台部及びベンチ板の素材が木材であることを特徴とする（請求項３）。この実施の一形態によれば、金属、合成樹脂と違う木材の温か味を花や観葉植物とともに感じることができる。
【０００８】
本発明の実施の一形態は、前記筒状台部が外周面の水平方向に凹凸リブを有することを特徴とする（請求項４）。この実施の一形態によれば、無垢の板材で形成する場合と異なりデザインとして斬新である。
【考案の効果】
【０００９】
本考案によれば、ベンチに座った人々が植木鉢に植えられた花や観葉植物を身近に感じるとともにロビーや待合室の雰囲気を改善してそこにいる人々の気持ちを和らげることができる。
【図面の簡単な説明】
【００１０】
【図１】本考案の実施の一形態に係るベンチ構造の使用状態を示す斜視図である。
【図２】図１の要部の一部切り欠き分解斜視図である。
【図３】図１の要部の一部切り欠き分解斜視図である。
【図４】本考案の他の実施の一形態に係るベンチ構造の使用状態を示す斜視図である。
【図５】図４の実施の一形態に係るベンチ構造の組み立て工程斜視図である。
【図６】図４の実施の一形態に係るベンチ構造の組み立て工程斜視図である。
【図７】図４の実施の一形態に係るベンチ構造の組み立て工程斜視図である。
【図８】図４の実施の一形態に係るベンチ構造の組み立て工程斜視図である。
【図９】他のベンチ構造を示す平面図である。
【考案を実施するための形態】
【００１１】
以下に、図面を参考に本考案の一実施例を説明する。
【００１２】
図1は本考案に係るベンチ構造の使用状態を示す斜視図である。
【００１３】
図中、１は筒状台部である。図面実施例では、外周面に水平方向に凹凸リブ形成して中空四角形に構成している（図８参照）。なお、前記筒状台部１は円筒状や多角形状であってもよい。
【００１４】
図中、２はベンチ板である。図面実施例では、適当巾の板を敵数枚並べて人が座り易い巾に形成している。該ベンチ板２の両端部には前記筒状台部１と対応する両端部に開口部３がそれぞれ形成される。図中、Ｆは植木鉢に植えられた花、観葉植物である。
【００１５】
本考案の詳細について説明する。図２及び図３は筒状台部１とベンチ板２の部分のそれぞれ一部切り欠き分解斜視図である。
【００１６】
図２に示すように、前記ベンチ板２の裏面の開口部３の周縁に前記筒状台部１の内周面（角部）に係合する三角形の凸部４が接着剤等により固定される。なお、図面実施例では、前記凸部４には該凸部４より一回り大きいクッション材５がそれぞれ接着剤により固定されている。
【００１７】
前記の構造では、前記三角形の凸部４が前記筒状台部１の内周面（角部）に係合し、前記クッション材５が前記筒状台部１とベンチ板２間に挟持される。したがって、筒状台部１とベンチ板２間の横ズレが防止される。同時に組み立て時の位置決めが容易である。
【００１８】
さらに、図３に示すように前記筒状台部１の下部の四隅部に三角形状の脚部６が木用の鉄の螺子ビスあるいは接着剤等により固定される。図中、１０は前記脚部６上に載置し、取り外し自在の底板、７は植木鉢、８は該植木鉢７の受け皿である。
【００１９】
つぎに、図４に示す他の実施の一形態について説明する。図４は、前記本考案の前記実施例を利用したＬ字状のベンチ構造である。すなわち、前記本考案の前記実施例のベンチＡの一端部に直角にベンチＢを連結したものである。
【００２０】
図５乃至図８にはその組み立て工程斜視図を示す。前記ベンチＢにはベンチ板２の一端部に開口部３及び筒状台部1が設けられる。そしてベンチ板２の他端部２ａが前記ベンチＡの一端部に連結される。
【００２１】
まず、図５に示すように、前記ベンチＢの筒状台部１を有しない他端部２ａに、前記ベンチＡを構成する筒状台部１ａの一側部１ｂを挟持する連結金具９が設けられる。図面実施例では、該連結金具９は前記筒状台部1ａに対して前後及び左右方向の動きを阻止するために横向き片９ａ及び縦向き片９ｂをそれぞれ形成している。図６は前記筒状台部１ａに前記連結金具９を適合した状態であり、該連結金具９が前記筒状台部１aの一側部１ｂを挟持している。
【００２２】
つぎに、図７及び図８に示すように、連結金具９が露出している筒状台部１の上に前記ベンチＡを構成するベンチ板２が載置される。しかし、前記の連結金具９の状態でベンチ板２を載置した場合には前記連結金具９によって生じた段差のために載置したベンチ板２にガタツキが生じる。
【００２３】
そこで、予め、前記ベンチ板２の裏面の開口部の周縁に設ける前記凸部４を前記連結金具９と対応する部分には設けることなく、他の凸部４ａを連結金具９の厚さに合わせることにより前記連結金具９の段差によって生じる問題を解決している。
【００２４】
図９は、本考案を利用して構成可能な他のベンチ構造であり、同図（イ）はＺ型、（ロ）は変形Ｌ型、（ハ）はコ字型である。なお、その他、設置場所に合わせて各種の変形が可能である。
【符号の説明】
【００２５】
１      筒状台部
２      ベンチ板
３      開口部
４      凸部
【図１】
0003214543.tif 000003
【図２】
0003214543.tif 000004
【図３】
0003214543.tif 000005
【図４】
0003214543.tif 000006
【図５】
0003214543.tif 000007
【図６】
0003214543.tif 000008
【図７】
0003214543.tif 000009
【図８】
0003214543.tif 000010
【図９】
0003214543.tif 000011